(57)【特許請求の範囲】
【請求項１】
入力信号についての測定処理を実行する測定部と、通信ネットワークに接続するための通信部と、前記通信ネットワークに接続された外部装置の表示部に当該測定装置に関する測定装置画面を表示させるための表示用データを生成して前記通信部を介して当該外部装置に出力する制御部とを備えた測定装置であって、
前記表示部における横方向の表示可能サイズおよび縦方向の表示可能サイズを取得する第１のステップと、前記両表示可能サイズが前記測定装置画面の基準表示サイズ以上のときに当該基準表示サイズ以上の規定の表示サイズで前記表示用データに基づいて前記測定装置画面を前記表示部に表示させると共に、いずれかの前記表示可能サイズが前記基準表示サイズを下回っているときに所定の縮小率で縮小した表示サイズで前記表示用データに基づいて前記測定装置画面を前記表示部に表示させる第２のステップとを前記外部装置に実行させる表示制御プログラムを記憶する記憶部を備え、
前記制御部は、前記記憶部から読み出した前記表示制御プログラムを前記表示用データと共に前記通信部を介して前記外部装置に送信して当該表示制御プログラムを当該外部装置に実行させて当該表示用データに基づく前記測定装置画面を前記表示部に表示させる測定装置。
【請求項２】
前記記憶部は、前記表示制御プログラムとして、前記第２のステップにおいて、前記いずれかの表示可能サイズが前記基準表示サイズを下回っているときに、予め規定された複数種類の前記縮小率のうちから、前記測定装置画面の全体を最も大きな表示サイズで表示可能な当該縮小率を選択して当該測定装置画面を縮小する処理を前記外部装置に実行させるプログラムを記憶する請求項１記載の測定装置。
【請求項３】
請求項１または２記載の測定装置と、前記外部装置としての情報処理装置とを備えている測定システム。
【請求項４】
通信ネットワークを介して測定装置に接続された外部装置に対して、当該測定装置に関する測定装置画面を当該測定装置から送信された表示用データに基づいて当該外部装置の表示部に表示させるための表示制御プログラムであって、
前記表示部における横方向の表示可能サイズおよび縦方向の表示可能サイズを取得する第１のステップと、前記両表示可能サイズが前記測定装置画面の基準表示サイズ以上のときに当該基準表示サイズ以上の規定の表示サイズで前記表示用データに基づいて前記測定装置画面を前記表示部に表示させると共に、いずれかの前記表示可能サイズが前記基準表示サイズを下回っているときに所定の縮小率で縮小した表示サイズで前記表示用データに基づいて前記測定装置画面を前記表示部に表示させる第２のステップとを前記外部装置に実行させる表示制御プログラム。
【請求項５】
前記第２のステップにおいて、前記いずれかの表示可能サイズが前記基準表示サイズを下回っているときに、予め規定された複数種類の前記縮小率のうちから、前記測定装置画面の全体を最も大きな表示サイズで表示可能な当該縮小率を選択して当該測定装置画面を縮小する処理を前記外部装置に実行させる請求項４記載の表示制御プログラム。
【発明の詳細な説明】
【技術分野】
【０００１】
本発明は、測定装置に関する測定装置画面を外部装置の表示部に表示させる測定装置、その測定装置を備えた測定システム、および測定装置画面を外部装置の表示部に表示させるための表示制御プログラムに関するものである。
【背景技術】
【０００２】
例えば、特開２００２−２１４２５２号公報には、波形測定器（デジタルオシロスコープ等）とクライアント（パーソナルコンピュータ等）とを組み合わせて、クライアントにおいて波形測定器の測定データを表示可能に構成した波形測定システム（以下、「測定システム」ともいう）が開示されている。この測定システムは、波形測定器とクライアントとを通信回線を介して相互に接続した状態において、波形測定器およびクライアントの間で各種データの送受信を実行可能に構成されている。一例として、波形測定器による測定結果をクライアントの表示部に表示させる際には、まず、波形測定器において、測定データを規定の書式（この例では、ＸＭＬ形式）に変換して記憶手段に記憶させる。次いで、クライアントを操作して、波形測定器の記憶手段から通信回線を介してＸＭＬ形式の測定データを読み取り、クライアントにインストールされているブラウザを用いて、測定データに基づく波形（波形表示画面）を表示させる。これにより、クライアントの表示部に表示された波形表示画面を参照して、例えば、クライアントから離れた場所に設置されている波形測定器を遠隔操作することが可能となる。
【特許文献１】特開２００２−２１４２５２号公報（第３−４頁、第１−４図）
【発明の開示】
【発明が解決しようとする課題】
【０００３】
ところが、従来の測定システムには、以下の問題点が存在する。すなわち、従来の測定システムでは、ＸＭＬ形式に変換された測定データをクライアントが波形測定器から読み取り、読み取った測定データに基づく波形表示画面を表示部に表示させる構成が採用されている。この場合、この種の測定システムにおいてクライアントとして使用する通信端末（パーソナルコンピュータなど）は、その表示部の表示能力がそれぞれ相違する。具体的には、上記の通信端末には、画像処理回路や表示器の構成の相違に応じて、表示可能な画像（画面）の最大サイズ（以下、「表示可能サイズ」ともいう）が、６４０ドット×４８０ドット（いわゆる「ＶＧＡ表示モード」）、８００ドット×６００ドット（いわゆる「ＳＶＧＡ表示モード」）、１０２４ドット×７６８ドット（いわゆる「ＸＧＡ表示モード」）、および１２８０ドット×１０２４ドット（いわゆる「ＳＸＧＡ表示モード」）などの各種の表示部のうちのいずれかが搭載されている。
【０００４】
このため、従来の測定システムにおいてクライアントの表示部に表示させる上記の波形表示画面の通常表示サイズ（波形表示画面の画素数）が例えば８００ドット×７２０ドットである場合には、ＸＧＡ表示モードの表示部、およびＳＸＧＡ表示モードの表示部を搭載しているクライアント（通信端末）においては、波形表示画面の全体を表示部に表示させることができる。しかしながら、ＶＧＡ表示モードの表示部、およびＳＶＧＡ表示モードの表示部を搭載しているクライアント（通信端末）においては、波形表示画面の全体を表示部に表示させることができず、画面の一部分が非表示の状態となる。したがって、従来の測定システムにおいてＶＧＡ表示モードの表示部またはＳＶＧＡ表示モードの表示部を搭載しているクライアントを使用する場合には、波形表示画面の全体を同時に参照することができないため、波形測定器による測定結果についての理解が困難となるという問題が生じる。また、波形表示画面に表示されるすべての情報を参照するためには、画面をスクロール表示させる必要があるため、この操作が煩雑であるという問題点も存在する。
【０００５】
本発明は、かかる問題点に鑑みてなされたものであり、煩雑な操作を行うことなく、測定装置画面の全体を同時に参照可能に外部装置（情報処理装置）の表示部に表示し得る測定装置、測定システムおよび表示制御プログラムを提供することを主目的とする。
【課題を解決するための手段】
【０００６】
上記目的を達成すべく請求項１記載の装置は、入力信号についての測定処理を実行する測定部と、通信ネットワークに接続するための通信部と、前記通信ネットワークに接続された外部装置の表示部に当該測定装置に関する測定装置画面を表示させるための表示用データを生成して前記通信部を介して当該外部装置に出力する制御部とを備えた測定装置であって、前記表示部における横方向の表示可能サイズおよび縦方向の表示可能サイズを取得する第１のステップと、前記両表示可能サイズが前記測定装置画面の基準表示サイズ以上のときに当該基準表示サイズ以上の規定の表示サイズで前記表示用データに基づいて前記測定装置画面を前記表示部に表示させると共に、いずれかの前記表示可能サイズが前記基準表示サイズを下回っているときに所定の縮小率で縮小した表示サイズで前記表示用データに基づいて前記測定装置画面を前記表示部に表示させる第２のステップとを前記外部装置に実行させる表示制御プログラムを記憶する記憶部を備え、前記制御部が、前記記憶部から読み出した前記表示制御プログラムを前記表示用データと共に前記通信部を介して前記外部装置に送信して当該表示制御プログラムを当該外部装置に実行させて当該表示用データに基づく前記測定装置画面を前記表示部に表示させる。
【０００７】
また、請求項２記載の測定装置は、請求項１記載の測定装置において、前記記憶部が、前記表示制御プログラムとして、前記第２のステップにおいて、前記いずれかの表示可能サイズが前記基準表示サイズを下回っているときに、予め規定された複数種類の前記縮小率のうちから、前記測定装置画面の全体を最も大きな表示サイズで表示可能な当該縮小率を選択して当該測定装置画面を縮小する処理を前記外部装置に実行させるプログラムを記憶する。
【０００８】
また、請求項３記載の測定システムは、請求項１または２記載の測定装置と、前記外部装置としての情報処理装置とを備えている。
【０００９】
また、請求項４記載の表示制御プログラムは、通信ネットワークを介して測定装置に接続された外部装置に対して、当該測定装置に関する測定装置画面を当該測定装置から送信された表示用データに基づいて当該外部装置の表示部に表示させるための表示制御プログラムであって、前記表示部における横方向の表示可能サイズおよび縦方向の表示可能サイズを取得する第１のステップと、前記両表示可能サイズが前記測定装置画面の基準表示サイズ以上のときに当該基準表示サイズ以上の規定の表示サイズで前記表示用データに基づいて前記測定装置画面を前記表示部に表示させると共に、いずれかの前記表示可能サイズが前記基準表示サイズを下回っているときに所定の縮小率で縮小した表示サイズで前記表示用データに基づいて前記測定装置画面を前記表示部に表示させる第２のステップとを前記外部装置に実行させる。
【００１０】
さらに、請求項５記載の表示制御プログラムは、請求項４記載の表示制御プログラムにおける前記第２のステップにおいて、前記いずれかの表示可能サイズが前記基準表示サイズを下回っているときに、予め規定された複数種類の前記縮小率のうちから、前記測定装置画面の全体を最も大きな表示サイズで表示可能な当該縮小率を選択して当該測定装置画面を縮小する処理を前記外部装置に実行させる。
【発明の効果】
【００１１】
請求項１記載の測定装置では、外部装置の表示部における横方向の表示可能サイズおよび縦方向の表示可能サイズを取得する第１のステップと、両表示可能サイズが測定装置画面の基準表示サイズ以上のときに基準表示サイズ以上の規定の表示サイズで測定装置画面を表示部に表示させると共に、いずれかの表示可能サイズが基準表示サイズを下回っているときに所定の縮小率で縮小した表示サイズで測定装置画面を表示部に表示させる第２のステップとを外部装置に実行させる表示制御プログラムを記憶する記憶部を備えると共に、制御部が、表示制御プログラムを表示用データと共に通信部を介して外部装置に送信して表示制御プログラムを外部装置に実行させて表示用データに基づく測定装置画面を表示部に表示させる。また、請求項３記載の測定システムでは、上記の測定装置と、外部装置としての情報処理装置とを備えている。さらに、請求項４記載の表示制御プログラムでは、通信ネットワークを介して測定装置に接続された外部装置に対して、外部装置の表示部における横方向の表示可能サイズおよび縦方向の表示可能サイズを取得する第１のステップと、両表示可能サイズが測定装置画面の基準表示サイズ以上のときに基準表示サイズ以上の規定の表示サイズで測定装置画面を表示部に表示させると共に、いずれかの表示可能サイズが基準表示サイズを下回っているときに所定の縮小率で縮小した表示サイズで測定装置画面を表示部に表示させる第２のステップとを実行させる。
【００１２】
したがって、請求項１記載の測定装置、請求項３記載の測定システム、および請求項４記載の表示制御プログラムによれば、外部装置（情報処理装置）の表示部に測定装置に関する測定装置画面（例えば、測定処理についての測定結果表示画面）を表示させる際に、測定装置画面をスクロール表示させるための煩雑な操作を実行することなく、測定装置画面の全体を表示部に同時に表示させることができる。このため、この測定装置、測定システムおよび表示制御プログラムによれば、外部装置（情報処理装置）の操作に不慣れなオペレータに対しても、測定装置による測定処理についての測定結果を確実かつ容易に認識させることができる。
【００１３】
また、請求項２記載の測定装置では、第２のステップにおいて、表示部のいずれかの表示可能サイズが測定装置画面の基準表示サイズを下回っているときに、予め規定された複数種類の縮小率のうちから、測定装置画面の全体を最も大きな表示サイズで表示可能な縮小率を選択して測定装置画面を縮小する処理を外部装置に実行させるプログラムを表示制御プログラムとして記憶部が記憶している。さらに、請求項５記載の表示制御プログラムでは、第２のステップにおいて、表示部のいずれかの表示可能サイズが測定結果表示下面の基準表示サイズを下回っているときに、予め規定された複数種類の縮小率のうちから、測定装置画面の全体を最も大きな表示サイズで表示可能な縮小率を選択して測定装置画面を縮小する処理を外部装置に実行させる。したがって、請求項２記載の測定装置および請求項５記載の表示制御プログラムによれば、測定装置画面が最も大きく表示されることで、測定装置に関する測定装置画面を一層確実かつ容易に認識させることができる。
【発明を実施するための最良の形態】
【００１４】
以下、本発明に係る測定装置、測定システムおよび表示制御プログラムの最良の形態について、添付図面を参照して説明する。
【００１５】
最初に、測定システム１の構成について、図面を参照して説明する。
【００１６】
図１に示す測定システム１は、本発明に係る測定システムの一例であって、通信ネットワーク４にそれぞれ接続可能に構成された測定装置２およびパーソナルコンピュータ３を備えている。この場合、通信ネットワーク４は、特に限定されるものではないが、一例として、ＬＡＮ（Local Area Network）、ＷＡＮ（Wide Area Network）、またはこれらの組み合わせで構成されている。
【００１７】
測定装置２は、本発明に係る測定装置の一例であって、測定部１１、通信部１２、操作部１３、表示部１４、制御部１５および記憶部１６を備えて構成されている。測定部１１は、Ａ／Ｄ変換部やアンプ回路（図示せず）を備え、制御部１５の制御に従い、入力信号ＳｉをＡ／Ｄ変換処理して（所定周期でサンプリングして）測定データＤｓを生成する測定処理を実行する。通信部１２は、一例として、ネットワークアダプタで構成されて、通信ネットワーク４に測定装置２を接続可能に構成されている。この場合、通信部１２としては、測定装置２の利用環境に応じて、有線接続タイプのネットワークアダプタ、および無線接続タイプのネットワークアダプタのいずれかまたは双方を採用することができる。また、上記の通信ネットワーク４として、例えば公衆回線網（アナログ電話回線網）を利用する場合には、通信部１２として通信モデムを採用することができる。操作部１３は、測定装置２の動作条件を設定するための各種の操作スイッチを備えて構成されている。表示部１４は、測定部１１による測定処理の測定結果を表示する測定結果表示画面（図示せず）や、測定装置２の動作条件を設定するための動作条件設定画面（図示せず）などを表示する。
【００１８】
制御部１５は、測定装置２を総括的に制御する。具体的には、制御部１５は、測定部１１を制御して入力信号Ｓｉについての測定処理を実行させると共に、測定部１１から出力された測定データＤｓを記憶部１６に記憶させる処理を実行する。また、制御部１５は、後述するようにして、記憶部１６に記憶させた測定データＤｓに基づいて、パーソナルコンピュータ３に測定結果表示画面を表示させるための画面データＤｇ（本発明における表示用データの一例）を生成すると共に、パーソナルコンピュータ３からの要求に応じて、通信部１２を介してプログラムデータＤｐと共に画面データＤｇをパーソナルコンピュータ３に送信する。記憶部１６は、後述するようにして上記の画面データＤｇに基づく遠隔操作画面４０（図３〜７参照）をパーソナルコンピュータ３に表示させるためのプログラムデータＤｐ（本発明における表示制御プログラムのデータ）を記憶すると共に、制御部１５の動作プログラムを記憶する。なお、この測定装置２は、測定システム１から切り離して単独で使用することが可能となっている。具体的には、操作部１３の各操作スイッチを操作して動作条件（測定処理条件）を設定し、測定部１１から出力される測定データＤｓに基づく測定結果表示画面（図示せず）を表示部１４に表示させることが可能となっている。
【００１９】
パーソナルコンピュータ３は、本発明における外部装置としての情報処理装置の一例であって、通信部２１、操作部２２、表示部２３、制御部２４および記憶部２５を備えて構成されている。通信部２１は、上記の測定装置２における通信部１２と同様にして、ネットワークアダプタで構成されて通信ネットワーク４にパーソナルコンピュータ３を接続可能に構成されている。この場合、通信部２１としては、パーソナルコンピュータ３の利用環境に応じて、有線接続タイプのネットワークアダプタ、および無線接続タイプのネットワークアダプタのいずれかまたは双方を採用することができる。また、上記の通信ネットワーク４として、例えば公衆回線網（アナログ電話回線網）を利用する場合には、通信部２１として通信モデムを採用することができる。操作部２２は、一例として、マウス等のポインティングデバイス、およびキーボードで構成されて、これらの操作に応じた操作信号Ｓ１を制御部２４に出力する。表示部２３は、本発明における「外部装置の表示部」および「情報処理装置の表示部」に相当し、一例として、表示器としての液晶パネルを備えて構成されている。
【００２０】
この場合、前述したように、パーソナルコンピュータ３の表示部２３としては、その表示可能サイズが相違する各種の表示部（ディスプレイ）が存在する。具体的には、図４〜７に示す表示部２３ａ〜２３ｄのように、横方向の表示サイズ（横方向の表示可能画素数）は、サイズＬＸａ〜ＬＸｄの各種表示サイズが存在し、縦方向の表示サイズ（縦方向の表示可能画素数）は、サイズＬＹａ〜ＬＹｄの各種表示サイズが存在する。なお、上記の各図では、本発明についての理解を容易とするために、表示部２３ａ〜２３ｄの表示可能サイズの大きさに応じて、図面上の表示部２３ａ〜２３ｄの大きさ（広さ）を規定して図示している。しかしながら、実際には、各表示部２３ａ〜２３ｄの解像度（単位面積当りの表示可能画素数：すなわち、１つの画素を表示するのに要する面積）の相違に起因して、各表示部２３ａ〜２３ｄの実際の大きさ（面積）が、その表示可能サイズに比例して変化するものではない。
【００２１】
制御部２４は、パーソナルコンピュータ３を総括的に制御する。具体的には、制御部２４は、操作部２２からの操作信号Ｓ１に従い、通信部２１を制御してパーソナルコンピュータ３を通信ネットワーク４（通信ネットワーク４に接続された測定装置２）に接続する。また、制御部２４は、パーソナルコンピュータ３から画面データＤｇと共に送信されたプログラムデータＤｐに従い、図２に示す遠隔操作処理３０を実行し、画面データＤｇに基づいて画像信号Ｓ２を生成して表示部２３に遠隔操作画面４０（図３〜７参照）を表示させる。さらに、制御部２４は、遠隔操作画面４０を表示させた状態において遠隔操作画面４０内の遠隔操作用操作部４２（図３〜７参照）が操作されたときに、操作内容に応じて制御信号Ｓ３を生成して通信部２１を介して通信ネットワーク４（通信ネットワーク４に接続された測定装置２）を送信する。記憶部２５は、測定装置２から送信された画面データＤｇおよびプログラムデータＤｐを一時的に記憶する。
【００２２】
この場合、上記の遠隔操作画面４０は、本発明における測定装置画面の一例であって、図３に示すように、測定結果表示部４１、遠隔操作用操作部４２および倍率表示部４３の各表示部（表示領域）で構成されている。なお、遠隔操作画面４０の基準表示サイズ（プログラムデータＤｐに基づいて拡大または縮小せずに等倍表示する際の表示サイズ）は、横方向がサイズＬＸ１で、縦方向がサイズＬＹ１であるものとして、以下に説明する。測定結果表示部４１は、測定装置２による測定処理の測定結果を表示するための表示領域であって、前述した測定データＤｓの内容に応じて、一例として、同図に示すような信号波形が表示される。なお、測定結果表示部４１に表示する測定結果は、上記の信号波形に限定されず、測定値そのものを表す数値や、測定値を表した各種のグラフがこれに含まれる。また、本発明における測定装置画面に表示する表示部（表示領域）は、測定結果表示部４１、遠隔操作用操作部４２および倍率表示部４３等に限定されず、一例として、測定データリスト表示部や、動作条件設定表示部などの各種表示部を表示させることができる。
【００２３】
遠隔操作用操作部４２は、測定装置２における操作部１３の各操作スイッチを擬似的に表示した仮想操作スイッチ（同図に示す「STATUS」および「CHAN」等の操作スイッチの図柄（絵）や、「STOP」および「START」 等の操作スイッチの図柄）で構成されている。また、遠隔操作画面４０を表示させるためのプログラムデータＤｐでは、操作部２２のポインティングデバイス（一例として、マウス）によって、この遠隔操作用操作部４２内の仮想操作スイッチが操作されることにより、制御部２４によって、操作内容に応じた制御信号Ｓ３が生成されて測定装置２に送信されるように記述されている。倍率表示部４３は、後述するようにして、遠隔操作画面４０の基準表示サイズに対する表示倍率を表示する。この場合、上記のプログラムデータＤｐ（表示制御プログラム）では、遠隔操作画面４０を基準表示サイズ（１００％の表示倍率）で表示させるだけでなく、表示部２３の表示可能サイズに応じて、５％刻みで遠隔操作画面４０を自動的に縮小してその全体を表示部２３に表示させる処理を実行可能に記述されている。
【００２４】
次に、測定システム１の動作（使用方法）について、添付図面を参照して説明する。
【００２５】
まず、測定装置２およびパーソナルコンピュータ３を通信ネットワーク４にそれぞれ接続する。なお、この時点における「接続」は、測定装置２およびパーソナルコンピュータ３の相互間のリンクを確立した状態を意味するものではなく、上記の通信部１２，２１が有線接続タイプのネットワークアダプタの場合には、通信ケーブルを介して通信部１２，２１をルータやスイッチングハブに結線した状態を意味すると共に、上記の通信部１２，２１が無線接続タイプのネットワークアダプタの場合には、通信部１２，２１と無線アクセスポイントとの間の接続を確立した状態を意味する。次いで、測定装置２を測定対象体に接続すると共に、操作部１３の電源スイッチを操作する。この際には、測定部１１が制御部１５の制御に従って測定対象体からの入力信号Ｓｉについての測定処理を実行して測定データＤｓを出力する。また、制御部１５は、出力された測定データＤｓを記憶部１６に順次記憶させる。さらに、制御部１５は、記憶部１６に記憶させた測定データＤｓに基づき、測定部１１による測定処理の測定結果を表す測定結果表示画面（一例として、図３に示す遠隔操作画面４０における測定結果表示部４１と同様の信号波形の表示画面）を表示部１４に表示させる。
【００２６】
この状態において、パーソナルコンピュータ３の操作部２２を操作して、測定装置２の通信ネットワーク４上におけるアドレス（グローバルＩＰアドレスやローカルＩＰアドレス）を指定することにより、通信ネットワーク４を介してパーソナルコンピュータ３を測定装置２に接続する（測定装置２およびパーソナルコンピュータ３の相互間のリンクを確立する）。なお、上記の測定装置２のアドレスについては、パーソナルコンピュータ３を操作するオペレータが事前に把握しているものとする。次いで、操作部２２を操作して所定のコマンド（制御信号Ｓ３）を測定装置２に送信することにより、遠隔操作画面４０を表示部２３に表示させるための画面データＤｇの送信を要求する。これに応じて、測定装置２の制御部１５は、記憶部１６に記憶させた測定データＤｓに基づいて遠隔操作画面４０を表示させるための画面データＤｇを生成すると共に、生成した画面データＤｇをプログラムデータＤｐと共に通信ネットワーク４を介してパーソナルコンピュータ３に送信する。
【００２７】
一方、画面データＤｇおよびプログラムデータＤｐを受信したパーソナルコンピュータ３では、制御部２４が、受信した画面データＤｇおよびプログラムデータＤｐを記憶部２５に記憶させると共に、プログラムデータＤｐに従い、図２に示す遠隔操作処理３０を開始する。この遠隔操作処理３０では、制御部２４は、まず、表示部２３の表示可能サイズを取得する（本発明における第１のステップ：ステップ３１）。具体的には、制御部２４は、図示しないハードディスクドライブ等に記録されているパーソナルコンピュータ３の動作条件情報（表示部２３に各種画像を表示させるための画像処理回路の動作状態についての情報）を参照することにより、遠隔操作処理３０の開始時点における表示部２３の表示可能サイズ（横方向の表示可能サイズおよび縦方向の表示可能サイズ）を取得する。この際に、パーソナルコンピュータ３が、表示部２３として、図４に示す表示部２３ａを備えているときには、サイズＬＸａ，ＬＹａが表示可能サイズとして取得される。また、パーソナルコンピュータ３が、表示部２３として、図５に示す表示部２３ｂを備えているときには、サイズＬＸｂ，ＬＹｂが表示可能サイズとして取得される。さらに、パーソナルコンピュータ３が、表示部２３として、図６に示す表示部２３ｃを備えているときには、サイズＬＸｃ，ＬＹｃが表示可能サイズとして取得される。また、パーソナルコンピュータ３が、表示部２３として、図７に示す表示部２３ｄを備えているときには、サイズＬＸｄ，ＬＹｄが表示可能サイズとして取得される。
【００２８】
次いで、制御部２４は、取得した表示可能サイズと、測定装置２から送信されたプログラムデータＤｐに基づく遠隔操作画面４０の基準表示サイズとを比較することにより、表示部２３の表示可能サイズが遠隔操作画面４０の基準表示サイズ以上であるか否かを判別する（ステップ３２）。具体的には、パーソナルコンピュータ３が表示部２３として図４に示す表示部２３ａを備えているときには、制御部２４は、取得した表示可能サイズ（サイズＬＸａ，ＬＹａ）が、遠隔操作画面４０の基準表示サイズ（サイズＬＸ１，ＬＹ１）以上であると判別する。この際には、記憶部２５に記憶させた画面データＤｇに基づき、遠隔操作画面４０を基準表示サイズ（サイズＬＸ１，ＬＹ１：本発明における「準表示サイズ以上の規定の表示サイズ」の一例）で表示させる画像信号Ｓ２を生成して表示部２３ａに出力することにより、遠隔操作画面４０を表示させる（本発明における第２のステップの一例：ステップ３３）。これにより、同図に示すように、測定装置２から送信された画面データＤｇに基づく遠隔操作画面４０の全体が１００％の表示倍率で表示部２３ａに表示される。この際に、制御部２４は、遠隔操作画面４０における倍率表示部４３に、表示させた遠隔操作画面４０の基準表示サイズに対する表示倍率を示す倍率表示（この例では、「１００％」との表示）を表示させる。これにより、表示部２３ａに遠隔操作画面４０が基準表示サイズで表示されているのを直感的に認識させることが可能となる。
【００２９】
また、パーソナルコンピュータ３が表示部２３として図５に示す表示部２３ｂを備えているときには、制御部２４は、取得した表示可能サイズのうちの横方向の表示可能サイズ（サイズＬＸｂ）が、遠隔操作画面４０の基準表示サイズにおける横方向のサイズＬＸ１以上であるものの、表示可能サイズのうちの縦方向の表示可能サイズ（サイズＬＹｂ）が、遠隔操作画面４０の基準表示サイズにおける縦方向のサイズＬＹ１を下回っていると判別する。この際には、記憶部２５に記憶させた画面データＤｇに基づき、遠隔操作画面４０の全体を表示部２３ｂに表示可能に、縦方向の表示可能サイズ（サイズＬＹｂ）に応じて遠隔操作画面４０を縮小した表示サイズ（サイズＬＸ２，ＬＹ２）で表示させる画像信号Ｓ２を生成して表示部２３ｂに出力することにより、遠隔操作画面４０を表示させる（本発明における第２のステップの他の一例：ステップ３４）。この場合、このプログラムデータＤｐでは、上記したように、遠隔操作画面４０の全体を表示可能に５％刻みの任意の縮小率で自動的に縮小するように記述されている。
【００３０】
具体的には、このプログラムデータＤｐでは、予め規定された複数種類の縮小率（この例では、９５％、９０％・・の５％刻みの縮小率）のうちから、遠隔操作画面４０の全体を最も大きな表示サイズで表示可能な縮小率（一例として、上記の例では、７５％の縮小率）を選択して遠隔操作画面４０を縮小する処理を実行するように記述されている。したがって、同図に示すように、測定装置２から送信された画面データＤｇに基づく遠隔操作画面４０の全体が７５％の表示倍率で表示部２３ｂに表示され、その倍率表示部４３に、表示させた遠隔操作画面４０の基準表示サイズに対する表示倍率を示す倍率表示（この例では、「７５％」との表示）が表示される。これにより、画面のスクロール操作等を実行することなく、遠隔操作画面４０の全域を同時に参照させることができると共に、遠隔操作画面４０が７５％の縮小率で縮小されて表示されているのを直感的に認識させることが可能となる。
【００３１】
さらに、パーソナルコンピュータ３が表示部２３として図６に示す表示部２３ｃを備えているときには、制御部２４は、取得した表示可能サイズのうちの縦方向の表示可能サイズ（サイズＬＹｃ）が、遠隔操作画面４０の基準表示サイズにおける縦方向のサイズＬＹ１以上であるものの、横方向の表示可能サイズ（サイズＬＸｃ）が、遠隔操作画面４０の基準表示サイズにおける横方向のサイズＬＸ１を下回っていると判別する。この際には、記憶部２５に記憶させた画面データＤｇに基づき、遠隔操作画面４０の全体を表示部２３ｃに表示可能に、横方向の表示可能サイズ（サイズＬＸｃ）に応じて遠隔操作画面４０を縮小した表示サイズ（サイズＬＸ２，ＬＹ２）で表示させる画像信号Ｓ２を生成して表示部２３ｃに出力することにより、遠隔操作画面４０を表示させる（本発明における第２のステップのさらに他の一例：ステップ３４）。これにより、同図に示すように、測定装置２から送信された画面データＤｇに基づく遠隔操作画面４０の全体が７５％の表示倍率で表示部２３ｃに表示され、その倍率表示部４３に、表示させた遠隔操作画面４０の基準表示サイズに対する表示倍率を示す倍率表示（この例では、「７５％」との表示）が表示される。これにより、この例においても、画面のスクロール操作等を実行することなく、遠隔操作画面４０の全域を同時に参照させることができると共に、遠隔操作画面４０が７５％の縮小率で縮小されて表示されているのを直感的に認識させることが可能となる。
【００３２】
また、パーソナルコンピュータ３が表示部２３として図７に示す表示部２３ｄを備えているときには、制御部２４は、取得した表示可能サイズのうちの横方向の表示可能サイズ（サイズＬＸｄ）および縦方向の表示可能サイズ（サイズＬＹｄ）の双方が、遠隔操作画面４０の基準表示サイズ（サイズＬＸ１，ＬＹ１）を下回っていると判別する。この際には、両表示可能サイズ（サイズＬＸｄ，ＬＹｄ）のうちの基準表示サイズ（サイズＬＸ１，ＬＹ１）に対する小ささの度合いが大きい一方（より小さい一方。この例では、縦方向のサイズＬＹｄ）に応じて、記憶部２５に記憶させた画面データＤｇに基づき、遠隔操作画面４０の全体を表示部２３ｃに表示可能に遠隔操作画面４０を縮小した表示サイズ（サイズＬＸ３，ＬＹ３）で表示させる画像信号Ｓ２を生成して表示部２３ｄに出力することにより、遠隔操作画面４０を表示させる（本発明における第２のステップのさらに他の一例：ステップ３４）。これにより、同図に示すように、測定装置２から送信された画面データＤｇに基づく遠隔操作画面４０の全体が７０％の表示倍率で表示部２３ｄに表示され、その倍率表示部４３に、表示させた遠隔操作画面４０の基準表示サイズに対する表示倍率を示す倍率表示（この例では、「７０％」との表示）が表示される。これにより、この例においても、画面のスクロール操作等を実行することなく、遠隔操作画面４０の全域を同時に参照させることができると共に、遠隔操作画面４０が７０％の縮小率で縮小されて表示されているのを直感的に認識させることが可能となる。
【００３３】
この場合、表示部２３ｂ〜２３ｄに遠隔操作画面４０を表示させる上記の各例では、制御部２４が表示部２３の表示可能サイズに合わせて遠隔操作画面４０を自動的に所定の表示倍率に縮小して表示させているが、この測定システム１および表示制御プログラム（プログラムデータＤｐ）では、制御部２３によって上記のように遠隔操作画面４０が自動的に縮小された状態において、倍率表示部４３に任意の表示倍率を入力操作するか、または、倍率表示部４３のリストボタン（倍率が表示されている部位の右に表示されている逆三角形状のマークのボタン）を操作して表示倍率候補を表示させて任意の表示倍率を選択することにより、制御部２３によって自動的に縮小された表示倍率以外の任意の表示倍率で遠隔操作画面４０を表示させることが可能となっている。なお、指定した表示倍率（表示サイズ）が表示部２３の表示可能サイズを超えた場合には、表示部２３にスクロールボタンが表示され、このスクロールボタンを操作することによって、表示領域からはみ出している領域を表示部２３に表示させることができる（図示せず）。
【００３４】
また、上記の例では、遠隔操作画面４０を縮小して表示させる際に、測定結果表示部４１、遠隔操作用操作部４２および倍率表示部４３の各表示部（表示領域）のすべて（遠隔操作画面４０の全域）を縮小しているが、遠隔操作画面４０が非常に小さな表示倍率に縮小された状態では、倍率表示部４３が小さく表示されることに起因して、上記のように倍率表示部４３に任意の表示倍率を指定する操作が困難となるおそれがある。したがって、図８に示す遠隔操作画面４０のように、いずれの表示倍率で表示させる場合（この例では、「５０％」の表示倍率で表示させる場合）であっても、倍率表示部４３については基準表示サイズで表示させ、倍率表示部４３を除く各表示部（表示領域）については、制御部２３によって自動的に規定された表示倍率、または、任意に指定した表示倍率で縮小して表示させる構成（方法）を採用することもできる。また、一例として、予め規定した表示倍率（例えば、６０％）以上の表示サイズで遠隔操作画面４０を表示させるときには、倍率表示部４３を含むすべての表示部（表示領域）を所定の表示倍率で同様に縮小して表示させ、その表示倍率（６０％）を下回る表示サイズで遠隔操作画面４０を表示させるときには、倍率表示部４３だけを「６０％」の表示倍率で表示させると共に、倍率表示部４３以外の表示部（表示領域）を所定の表示倍率で縮小して表示させる構成（方法）を採用することもできる。
【００３５】
一方、制御部２４は、表示部２３（表示部２３ａ〜２３ｄ）に対する遠隔操作画面４０の表示（画像信号Ｓ２の出力）を完了した後に、遠隔操作画面４０の表示を終了する操作が行われたか否か（表示終了を指示する操作信号Ｓ１が出力されたか否か）を監視する（ステップ３５）。この際に、表示終了操作に対応する操作信号Ｓ１が操作部２２から出力されたときには、制御部２４は、表示部２３に表示させている遠隔操作画面４０を消去して、この遠隔操作処理３０を終了する。また、制御部２４は、上記の表示終了操作の有無の監視と並行して、遠隔操作画面４０における遠隔操作用操作部４２の操作スイッチが操作されたか否か（遠隔操作用操作部４２の操作に対応する操作信号Ｓ１が出力されたか否か）を監視する（ステップ３６）。
【００３６】
この際に、パーソナルコンピュータ３のオペレターが操作部２２のポインティングデバイス（この例では、マウス）を操作して、例えば、遠隔操作画面４０における遠隔操作用操作部４２の「START」 との操作スイッチを操作（クリック）したときには、制御部２４は、操作部２２からの操作信号Ｓ１に基づき、「START」 との操作スイッチの操作に応じた制御信号Ｓ３を生成して、通信ネットワーク４に接続された測定装置２に通信部２１を介して送信する（ステップ３７）。これに応じて、測定装置２では、制御部１５が、パーソナルコンピュータ３から送信された制御信号Ｓ３に従い、測定部１１を制御して入力信号Ｓｉについての測定処理を開始させる。また、測定装置２の制御部１５は、測定部１１から出力される測定データＤｓに基づいて新たな画面データＤｇを生成し、通信ネットワーク４に接続されたパーソナルコンピュータ３に通信部１２を介して送信する。これに応じて、パーソナルコンピュータ３では、制御部２４が、測定装置２から送信されたプログラムデータＤｐに基づき、遠隔操作画面４０を表示させるための新たな画像信号Ｓ２を生成して表示部２３に順次出力する。これにより、表示部２３に表示された遠隔操作画面４０における測定結果表示部４１内の信号波形が、測定装置２から送信された新たな画面データＤｇに応じて順次更新される。
【００３７】
このように、測定装置２では、パーソナルコンピュータ３の表示部２３における横方向の表示可能サイズ（図４〜７におけるサイズＬＸａ〜ＬＸｄ）および縦方向の表示可能サイズ（図４〜７におけるサイズＬＸａ〜ＬＸｄ）を取得するステップ（本発明における第１のステップ：遠隔操作処理３０におけるステップ３１）と、両表示可能サイズが遠隔操作画面４０の基準表示サイズ（図３〜７におけるサイズＬＸ１，ＬＹ１）以上のとき（例えば、図４に示す状態のとき）に基準表示サイズ以上の規定の表示サイズ（この例では、基準表示サイズと同サイズのサイズＬＸ１，ＬＹ１）で遠隔操作画面４０を表示部２３に表示させると共に、いずれかの表示可能サイズが基準表示サイズを下回っているとき（例えば、図５〜７に示す状態のとき）に所定の縮小率で縮小した表示サイズ（この例では、基準表示サイズに対する７５％の縮小率のサイズＬＸ２，ＬＹ２、または、基準表示サイズに対する７０％の縮小率のサイズＬＸ３，ＬＹ３）で遠隔操作画面４０を表示部２３に表示させるステップ（本発明における第２のステップ：遠隔操作処理３０におけるステップ３３，３４）とをパーソナルコンピュータ３に実行させるプログラムデータＤｐ（表示制御プログラム）を記憶する記憶部１６を備えると共に、制御部１５が、プログラムデータＤｐを画面データＤｇ（表示用データ）と共に通信部１２を介してパーソナルコンピュータ３に送信してプログラムデータＤｐをパーソナルコンピュータ３に実行させて画面データＤｇに基づく遠隔操作画面４０を表示部２３に表示させる。
【００３８】
また、この測定システム１では、上記の測定装置２と、本発明における外部装置としての情報処理装置に相当するパーソナルコンピュータ３を備えている。さらに、この表示制御プログラム（プログラムデータＤｐ）では、通信ネットワーク４を介して測定装置２に接続されたパーソナルコンピュータ３（外部装置）に対して、パーソナルコンピュータ３の表示部２３における横方向の表示可能サイズおよび縦方向の表示可能サイズを取得するステップ（本発明における第１のステップ：遠隔操作処理３０におけるステップ３１）と、両表示可能サイズが遠隔操作画面４０の基準表示サイズ以上のときに基準表示サイズ以上の規定の表示サイズで遠隔操作画面４０を表示部２３に表示させると共に、いずれかの表示可能サイズが基準表示サイズを下回っているときに所定の縮小率で縮小した表示サイズで遠隔操作画面４０を表示部２３に表示させるステップ（本発明における第２のステップ：遠隔操作処理３０におけるステップ３３，３４）とを実行させる。
【００３９】
したがって、この測定装置２、測定システム１および表示制御プログラム（プログラムデータＤｐ）によれば、パーソナルコンピュータ３の表示部２３に測定装置２による測定処理についての測定結果（遠隔操作画面４０）を表示させる際に、遠隔操作画面４０をスクロール表示させるための煩雑な操作を実行することなく、遠隔操作画面４０の全体を表示部２３に同時に表示させることができる。このため、この測定装置２、測定システム１および表示制御プログラム（プログラムデータＤｐ）によれば、パーソナルコンピュータ３の操作に不慣れなオペレータに対しても、測定装置２による測定処理についての測定結果を確実かつ容易に認識させることができる。
【００４０】
また、この測定装置２では、本発明における第２のステップにおいて、表示部２３のいずれかの表示可能サイズが遠隔操作画面４０の基準表示サイズを下回っているときに、予め規定された複数種類の縮小率のうちから、遠隔操作画面４０の全体を最も大きな表示サイズで表示可能な縮小率を選択して遠隔操作画面４０を縮小する処理（遠隔操作処理３０におけるステップ３４）をパーソナルコンピュータ３に実行させるプログラムデータＤｐを記憶部１６が記憶している。さらに、この表示制御プログラム（プログラムデータＤｐ）では、本発明における第２のステップにおいて、表示部２３のいずれかの表示可能サイズが遠隔操作画面４０の基準表示サイズを下回っているときに、予め規定された複数種類の縮小率のうちから、遠隔操作画面４０の全体を最も大きな表示サイズで表示可能な縮小率を選択して遠隔操作画面４０を縮小する処理をパーソナルコンピュータ３に実行させる。したがって、この測定装置２および表示制御プログラム（プログラムデータＤｐ）によれば、遠隔操作画面４０が最も大きく表示されることで、測定装置２による測定処理についての測定結果を一層確実かつ容易に認識させることができる。
【００４１】
なお、本発明は、上記の構成に限定されない。例えば、本発明における外部装置としての情報処理装置の一例としてパーソナルコンピュータ３を備えて測定システム１を構成した例について説明したが、本発明における外部装置（情報処理装置）は、パーソナルコンピュータに限定されず、測定システム専用の管理サーバや、各種の携帯型情報端末を本発明における外部装置（情報処理装置）として採用して測定システムを構成することができる。また、表示部２３の表示可能サイズに応じて遠隔操作画面４０を縮小して表示させる例について説明したが、本発明における「表示部の表示可能サイズ」はこれに限定されない。具体的には、外部装置（情報処理装置）としてのパーソナルコンピュータ等にマルチウィンドウ環境のオペレーティングシステムがインストールされると共に、上記の遠隔操作画面４０を１つのウィンドウ上に表示させる場合においては、そのウィンドウが本発明における「表示部」に相当し、そのウィンドウサイズ（ウィンドウ内の情報表示領域の画素数）が「表示可能サイズ」に相当する。したがって、この例では、遠隔操作画面４０を表示させるウインドウのウィンドウサイズに応じて、遠隔操作画面４０の全体を表示可能に縮小処理して表示させる。
【００４２】
さらに、表示部２３の表示可能サイズが遠隔操作画面４０の基準表示サイズ以上のときに、遠隔操作画面４０を基準表示サイズ（１００％の表示倍率）で表示させる例について説明したが、本発明はこれに限定されない。具体的には、基準表示サイズに対する表示可能サイズの大きさに応じて遠隔操作画面４０の全体を表示可能に拡大処理して表示させる構成（本発明における「基準表示サイズ以上の規定の表示サイズ」を１００％以上の任意の表示サイズとする構成）を採用することができる。このような構成では、本発明における外部装置（情報処理装置）の表示部として、その表示可能サイズが十分に大きなものを採用することで、遠隔操作画面４０を一層大きく表示することができるため、測定装置２による測定処理についての測定結果を一層確実かつ容易に認識させることができる。加えて、本発明に係る表示制御プログラムについては、上記の例のように測定装置に記憶させておき、外部装置（情報処理装置）に対して表示用データを送信する際に、表示用データと共に測定装置から外部装置（情報処理装置）に送信して実行されるものに限定されず、例えば、外部装置（情報処理装置）に予めインストールしておき、測定装置から表示用データが送信するされたときに、一連の各ステップを実行して測定装置画面を表示させるものがこれに含まれる。
【図面の簡単な説明】
【００４３】
【図１】測定システム１の構成を示すブロック図である。
【図２】遠隔操作処理３０のフローチャートである。
【図３】遠隔操作画面４０の表示画面図である。
【図４】表示部２３ａに表示させた遠隔操作画面４０の表示画面図である。
【図５】表示部２３ｂに表示させた遠隔操作画面４０の表示画面図である。
【図６】表示部２３ｃに表示させた遠隔操作画面４０の表示画面図である。
【図７】表示部２３ｄに表示させた遠隔操作画面４０の表示画面図である。
【図８】他の実施の形態に係る遠隔操作画面４０の表示画面図である。
【符号の説明】
【００４４】
１  測定システム
２  測定装置
３  パーソナルコンピュータ
４  通信ネットワーク
１１  測定部
１２，２１  通信部
１３，２２  操作部
１４，２３（２３ａ〜２３ｄ）  表示部
１５，２４  制御部
１６，２５  記憶部
３０  遠隔操作処理
４０  遠隔操作画面
４１  測定結果表示部
Ｄｇ  画面データ
Ｄｐ  プログラムデータ
ＬＸ１〜ＬＸ３，ＬＸａ〜ＬＸｄ，ＬＹ１〜ＬＹ３，ＬＹａ〜ＬＹｄ  サイズ
Ｓ１  操作信号
Ｓ２  画像信号
Ｓｉ  入力信号
【図１】
0005306709.tif 000002
【図２】
0005306709.tif 000003
【図３】
0005306709.tif 000004
【図４】
0005306709.tif 000005
【図５】
0005306709.tif 000006
【図６】
0005306709.tif 000007
【図７】
0005306709.tif 000008
【図８】
0005306709.tif 000009